(57)【要約】【課題】簡単な構造で、介護者及び被介護者の負担を軽減することができ、且つ、浴槽を容易に清潔に保つことができる介護用浴槽ユニットを提供する。【解決手段】洗浄装置２と入浴装置３とを有する介護用浴槽ユニット１であって、洗浄装置２は、被介護者Ｎを保持可能な第１の保持ネットとしての洗浄用保持ネット２１と、該洗浄用保持ネット２１で保持された被介護者Ｎを洗浄した洗浄水を受ける排水台２２と、を備え、入浴装置３は、洗浄装置２に隣接して配置された浴槽３３と、浴槽３３を昇降させる昇降部３４と、浴槽３３上に配置された第２の保持ネットとしての入浴用保持ネット３１と、を備え、浴槽３３が降下した状態で浴槽３３の側壁部３３ａの上端部３３ｂと、洗浄用保持ネット２１と、入浴用保持ネット３１とが、略同じ高さとなるように構成されている。【選択図】図８
0003173199.tif 000002
【実用新案登録請求の範囲】
【請求項１】
洗浄装置と入浴装置とを有する介護用浴槽ユニットであって、
前記洗浄装置は、被介護者を保持可能な第１の保持ネットと、前記第１の保持ネットで保持された前記被介護者を洗浄した洗浄水を受ける排水台と、を備え、
前記入浴装置は、前記洗浄装置に隣接して配置された浴槽と、前記浴槽を昇降させる昇降部と、前記浴槽上に配置された第２の保持ネットと、を備え、
前記浴槽が降下した状態で該浴槽の側壁部の上端部と、前記第１の保持ネットと、前記第２の保持ネットとが、略同じ高さとなるように構成されていることを特徴とする介護用浴槽ユニット。
【請求項２】
前記浴槽と前記第１の保持ネットとの間に立設する仕切板部材を有し、
前記仕切板部材は、その上端部に緩衝材を備え、
前記浴槽が降下した状態で該浴槽の側壁部の上端部と、前記第１の保持ネットと、前記第２の保持ネットと、前記仕切板部材の上端部とが、略同じ高さとなるように構成されていることを特徴とする請求項１に記載の介護用浴槽ユニット。
【請求項３】
前記被介護者を載置する載置部を備える移送装置が前記洗浄装置に隣接して配置された状態で、前記洗浄装置の前記第１の保持ネットと、前記移送装置の前記載置部の載置面とが略同じ高さとなるように構成されていることを特徴とする請求項１または請求項２に記載の介護用浴槽ユニット。
【考案の詳細な説明】
【技術分野】
【０００１】
本考案は、介護用浴槽ユニットに関する。
【背景技術】
【０００２】
介護を必要とする入浴者を入浴させる介護用浴槽として、各種提案がなされている。
【０００３】
特許文献１には、入浴者の足側と頭側の浴槽の壁面の上部をつなぎ、浴槽内を昇降可能な昇降用ベルトを具備する介護用浴槽が記載されている。
【０００４】
特許文献２には、介護患者をベッドから介護用浴槽に移送する移送装置と、介護入浴する移動式の入浴装置とから成り、その移送装置が、走行フレーム部と基台フレーム部と寝台ネット部とで構成され、寝台ネットを巻取り装置で巻き取ることによって寝台ネット上の介護患者を上下させて移動式の入浴装置に移送ならびに入浴させる介護用移送入浴装置が記載されている。
【０００５】
特許文献３には、入浴者を載せる担架を備えた浴槽と、入浴者を洗浄する際に洗浄水を受けるための水受盤と、担架を水上へ出した状態で担架の下方へ水受盤を配置し、且つ、水平方向にスライドさせる可動機構を備えた介護用浴槽が記載されている。
【先行技術文献】
【特許文献】
【０００６】
【特許文献１】特開２０００−３１６９４４号公報
【特許文献２】特開２０１０−５７９６２号公報
【特許文献３】特開２００５−３１２６１８号公報
【考案の概要】
【考案が解決しようとする課題】
【０００７】
しかしながら、上記特許文献１に記載された介護用浴槽、及び、特許文献２に記載された介護用移送入浴装置では、入浴者が浴槽に直接入浴するように構成されているので、浴槽を清潔に保つことができない場合がある。
【０００８】
特許文献３に記載された介護用入浴装置では、担架を備えた浴槽、水受盤、及び、水受盤を水平方向にスライド可能な可動機構等を設けることを要するので、複雑な構造となっている。
【０００９】
介護者が被介護者を入浴させる時、介護者と被介護者の負担をより軽減することができる介護用浴槽ユニットが望まれている。
【００１０】
本考案は、上記問題に鑑み、簡単な構造で、介護者及び被介護者の負担を軽減することができ、且つ、浴槽を容易に清潔に保つことができる介護用浴槽ユニットを提供することを目的とする。
【課題を解決するための手段】
【００１１】
本考案の介護用浴槽ユニットは、洗浄装置と入浴装置とを有する介護用浴槽ユニットであって、前記洗浄装置は、被介護者を保持可能な第１の保持ネットと、前記第１の保持ネットで保持された前記被介護者を洗浄した洗浄水を受ける排水台と、を備え、前記入浴装置は、前記洗浄装置に隣接して配置された浴槽と、前記浴槽を昇降させる昇降部と、前記浴槽上に配置された第２の保持ネットと、を備え、前記浴槽が降下した状態で該浴槽の側壁部の上端部と、前記第１の保持ネットと、前記第２の保持ネットとが、略同じ高さとなるように構成されていることを特徴とする。
【考案の効果】
【００１２】
本考案によれば、簡単な構造で、介護者及び被介護者の負担を軽減することができ、且つ、浴槽を容易に清潔に保つことができる介護用浴槽ユニットを提供することができる。
【図面の簡単な説明】
【００１３】
【図１】本考案の実施形態に係る介護用浴槽ユニットの平面図である。
【図２】図１のＸ−Ｘ線断面図である。
【図３】図１のＹ−Ｙ線断面図である。
【図４】本考案の実施形態に係る介護用浴槽ユニットの浴槽の動作の一例を示す図である。
【図５】本考案の実施形態に係る介護用浴槽ユニットの使用状態の一例を示す平面図である。
【図６】本考案の実施形態に係る介護用浴槽ユニットの動作の一例を示す側面図である。
【図７】本考案の実施形態に係る介護用浴槽ユニットの動作の一例を示す側面図である。
【図８】本考案の実施形態に係る介護用浴槽ユニットの動作の一例を示す側面図である。
【図９】本考案の実施形態に係る介護用浴槽ユニットの動作の一例を示す側面図である。
【図１０】本考案の実施形態に係る介護用浴槽ユニットの動作の一例を示す側面図である。
【図１１】本考案の実施形態に係る介護用浴槽ユニットの動作の一例を示す側面図である。
【図１２】本考案の実施形態に係る介護用浴槽ユニットの動作の一例を示す側面図である。
【考案を実施するための形態】
【００１４】
以下、本考案の実施形態に係る介護用浴槽ユニット１を、図面を参照しながら説明する。
【００１５】
図１は、本考案の実施形態に係る介護用浴槽ユニット１の平面図である。図２は、図１のＸ−Ｘ線断面図である。図３は、図１のＹ−Ｙ線断面図である。図４は、介護用浴槽ユニット１の浴槽３３の動作の一例を示す図である。図５は、介護用浴槽ユニット１の使用状態の一例を示す平面図である。
【００１６】
本考案の実施形態に係る介護用浴槽ユニット１は、洗浄装置２と、入浴装置３と、を有する。詳細には、介護用浴槽ユニット１は、一つの浴室１００内に、洗浄装置２と入浴装置３とが隣接して配置されている。
【００１７】
図１、図２に示したように、浴室１００では、洗浄装置２を配置した洗浄室２００と、入浴装置３を配置した浴槽室３００との間に仕切壁がなく、洗浄室２００と浴槽室３００とが一体となるように構成されている。
【００１８】
浴室１００は、図２に示したように、複数の柱１０１、柱１０１の上部を連結する梁としての上部横材１０２、及び、柱１０１の下部を連結する下部横材１０３などを有し、更に壁、天井板などを備える。また、浴室１００は、例えば、その下部の下部横材１０３にキャスタ等の複数の車輪１０５を備え、浴槽３３を使用しない時、車輪１０５により移動可能となるように構成されていてもよい。浴槽使用時、介護用浴槽ユニット１は、固定部材（不図示）により地面、床面等に固定される。
【００１９】
図１、図２に示したように、介護用浴槽ユニット１は、可動ベッドとしての移送装置４が洗浄装置２に隣接して配置可能に構成されている。移送装置４は、本体部４ａと、横臥した状態の被介護者を載置するためのマットや布団等を備える載置部４ｂと、本体部４ａの下部に設けられた複数の車輪４ｃと、を有する。
【００２０】
＜洗浄装置２＞
洗浄装置２は、図１、図２に示したように、洗体台及び清拭台としての洗浄用保持ネット２１と、排水台２２と、仕切板部材２３と、給湯装置２４と、湯給水部としてのシャワー２５と、を有する。
【００２１】
第１の保持ネットとしての洗浄用保持ネット２１は、図１、図５に示したように、略矩形状であり、複数のロープ等を編んで形成されており、被介護者Ｎを横臥状態で保持可能である。この洗浄用保持ネット２１は、図２に示したように、移送装置４の載置部４ｂのベッドと略同じ高さに載置面２１ａが位置するように形成されている。
【００２２】
洗浄用保持ネット２１は、弾力性を有する材料で形成され、さらに、撥水性を備えた材料で形成されていることが好ましい。尚、撥水処理を施すことにより、洗浄用保持ネット２１に撥水性をもたせてもよい。
【００２３】
本実施形態では、洗浄用保持ネット２１は、綿やウール等の繊維、合成樹脂製の繊維などで形成された複数のロープを編むことにより形成されている。洗浄用保持ネット２１のロープの太さは、洗浄用保持ネット２１が被介護者を保持可能な強度以上の強度となるように、直径約１０ｍｍ程度、又は、それ以上の直径のものを採用することが好ましい。上記洗浄用保持ネット２１を採用することで、被介護者を保持することができ、且つ、被介護者の身体への負荷を低減することができる。
【００２４】
排水台２２は、図２に示したように、洗浄用保持ネット２１の下方に配置され、洗浄用保持ネット２１で保持された被介護者を洗浄した洗浄水を受けるように構成されている。排水台２２は、底面に排水口２２ｂを備え、この排水口２２ｂへ洗浄水を案内する傾斜面２２ａが形成されている。排水口２２ｂには、排水ポンプ１０８に連通する排水管１０９が接続されている。
【００２５】
仕切板部材２３は、浴槽３３と排水台２２との間に立設している。この仕切板部材２３は、上端部２３ｂに緩衝材２３ａが配置されている。仕切板部材２３の上端部２３ｂは、洗浄用保持ネット２１の載置面２１ａと、略同じ高さとなるように形成されている。この緩衝材２３ａは、撥水性を有することが好ましい。
【００２６】
給湯装置２４は水を加熱する装置であり、ボイラー等を採用することができる。本実施形態の介護用浴槽ユニット１では、給湯装置２４を排水台２２の下方に配置した構成であり、省スペース化を図っている。
【００２７】
シャワー２５は、浴室１００の上部付近に備えられ、給湯給水管（不図示）を介して給湯装置２４に接続されている。
【００２８】
＜入浴装置３＞
入浴装置３は、第２の保持ネットとしての入浴用保持ネット３１と、ネット支持部３２と、浴槽３３と、浴槽を昇降させる昇降部３４と、給湯給水部３５と、を有する。
【００２９】
入浴用保持ネット３１は、上記洗浄用保持ネット２１と略同様な構成であり、図１、図５に示したように、複数のロープ等を編んで略矩形状に形成され、被介護者Ｎを横臥状態で保持可能である。入浴用保持ネット３１は、洗浄用保持ネット２１の短手方向に隣接して配置されている。また、入浴用保持ネット３１は、その載置面３１ａが洗浄用保持ネット２１の載置面２１ａと略同じ高さとなるように、浴槽３３上に配置されている。
【００３０】
ネット支持部３２は、図２に示したように、入浴用保持ネット３１を支持する部材であり、金属材や合成樹脂材等を採用することができる。本実施形態では、ネット支持部３２は、上端部が浴室天井板や浴室１００の上部横材１０２等に固定され、下端部が入浴用保持ネット３１に固定されている。
【００３１】
浴槽３３は、平面形状が略矩形状に形成され、且つ、断面Ｕ字形状に形成され、洗浄装置２の洗浄用保持ネット２１の短手方向に隣接して配置されている。浴槽３３の洗浄装置２側の側壁部３３ａの上端部３３ｂには、緩衝材３３ｃが設けられている。浴槽３３は底面に排水口３３ｄが設けられ、排水口３３ｄには排水ポンプ１０８に連通する排水管１０９が接続されている。
【００３２】
昇降部３４は、図２、図３、図４に示したように、浴槽３３の下部に備えられ、操作スイッチ１０７の操作に応じて、浴槽３３を上昇または下降させるように構成されている。昇降部３４としては、バキューム方式のエアシリンダ、機械方式の液体シリンダなどを用いたアクチュエータを採用することができる。
【００３３】
上記介護用浴槽ユニット１は、被介護者の移動時、図２、図３に示したように、昇降部３４により浴槽３３を降下させた状態で、浴槽３３の側壁部３３ａの上端部３３ｂと、洗浄用保持ネット２１と、入浴用保持ネット３１と、仕切板部材２３の上端部２３ｂとが、略同じ高さとなるように構成されている。
【００３４】
また、昇降部３４は、被介護者の入浴時、図４に示したように、入浴用保持ネット３１に保持された被介護者Ｎが浴槽３３の湯水３３ｆに浸かる位置まで浴槽３３を上昇させる。
【００３５】
給湯給水部３５は、浴室１００の側壁部に設けられ、給湯装置２４に給湯給水管（不図示）で接続されている。
【００３６】
＜介護用浴槽ユニット１の動作＞
次に、介護用浴槽ユニット１を使用する際の介護用浴槽ユニット１の動作を説明する。
【００３７】
図５、図６に示したように、介護者Ｋが、被介護者（入浴者）Ｎを載せた可動ベッドとしての移送装置４を、介護用浴槽ユニット１の洗浄装置２に隣接して配置させる。図５、図６に示したように、移送装置４の載置部４ｂの載置面４ｄと、洗浄用保持ネット２１の載置面２１ａとは略同じ高さとなるように構成されている。
【００３８】
次に、図７に示したように、介護者Ｋが、移送装置４の載置部４ｂ上から洗浄用保持ネット２１上に、横臥した状態の被介護者Ｎを横回転させるなどして移動させる。尚、介護者Ｋが被介護者Ｎの頭部や足部を持ち上げる等により、移送装置４から洗浄装置２に移動させてもよい。移送装置４の載置部４ｂの載置面４ｄと、洗浄用保持ネット２１の載置面２１ａとが略同じ高さに形成されているので、介護者Ｋは、被介護者Ｎを容易に移動させることができる。尚、移送装置４と洗浄用保持ネット２１と洗浄用保持ネット２１との間の排水台２２上に、緩衝材２６を設けてもよい。こうすることで、被介護者Ｎの移動の際の身体への負荷を低減することができる。
そして、介護者Ｋは、洗浄用保持ネット２１上の被介護者Ｎをシャワー２５を用いて洗浄する。洗浄水は排水口２２ｂから排水管１０９、排水ポンプ１０８等を介して外部に排水される。
【００３９】
次に、図８に示したように、介護者Ｋは、被介護者（入浴者）Ｎを洗浄用保持ネット２１から入浴用保持ネット３１に、横臥した状態の被介護者Ｎを横回転させるなどして移動させる。介護者Ｋが被介護者Ｎの頭部や足部を持ち上げる等により、洗浄装置２から入浴用保持ネット３１に移動させてもよい。この際、洗浄用保持ネット２１の載置面２１ａと、仕切板部材２３の上端部２３ｂと、浴槽３３の側壁部３３ａの上端部３３ｂと、入浴用保持ネット３１の載置面３１ａとが、略同じ高さとなるように構成されているので、被介護者Ｎを容易に移動させることができる。また、仕切板部材２３の上端部２３ｂに緩衝材２３ａを設け、浴槽３３の洗浄装置２側の側壁部３３ａの上端部３３ｂに緩衝材３３ｃを設けているので、被介護者Ｎの身体への負荷を低減することができる。
【００４０】
次に、図９に示したように、介護者Ｋは、操作スイッチ１０７を操作することにより、昇降部３４により浴槽３３を上昇させる。この際、昇降部３４により、図９、図４に示したように、入浴用保持ネット３１上の入浴者である被介護者Ｎが、浴槽３３の湯水３３ｆに浸かる位置まで浴槽３３を上昇させる。その際、入浴者の頭部が浴槽３３の水面から上に位置するように、昇降部３４による浴槽３３の上昇量を調整する。また、浴槽３３の湯水の量は、給湯給水部３５としての蛇口から給湯することにより適宜調整可能である。
【００４１】
入浴後、図１０に示したように、介護者Ｋは、操作スイッチ１０７を操作することにより、昇降部３４により浴槽３３を降下させる。この際、洗浄用保持ネット２１の載置面２１ａと、仕切板部材２３の上端部２３ｂと、浴槽３３の側壁部３３ａの上端部３３ｂと、入浴用保持ネット３１の載置面３１ａとが、略同じ高さとなるように、昇降部３４により浴槽３３の下降量を調整する。
【００４２】
次に、図１１に示したように、介護者Ｋは、入浴用保持ネット３１から洗浄用保持ネット２１に、被介護者Ｎを横臥した状態で横回転させるなどして移動させる。そして、介護者Ｋは、洗浄装置２の洗浄用保持ネット２１上で被介護者Ｎをシャワー２５で洗浄したり、身体に付着している水を拭き取る等を行う。
【００４３】
次に、図１２に示したように、介護者Ｋは、被介護者Ｎに着衣させた後、洗浄用保持ネット２１から移送装置４の載置部４ｂに、被介護者Ｎを横臥した状態で横回転させるなどして移動させる。そして、介護者Ｋは、移送装置４により被介護者Ｎを所定の部屋などに移動させる。
【００４４】
以上、説明したように、本考案の実施形態の介護用浴槽ユニット１によれば、洗浄装置２と入浴装置３とを隣接するように配置し、昇降部３４により浴槽３３が降下した状態で、浴槽３３の側壁部３３ａの上端部３３ｂと、洗浄装置２の第１の保持ネットとしての洗浄用保持ネット２１と、入浴装置３の第２の保持ネットとしての入浴用保持ネット３１とが、略同じ高さとなるように構成されている。このため、介護者Ｋは被介護者Ｎを洗浄用保持ネット２１から入浴用保持ネット３１へ容易に移動させることで、介護者Ｋ及び被介護者Ｎの負担を軽減することができる介護用浴槽ユニット１を提供することができる。
【００４５】
また、洗浄装置２により被介護者Ｎの身体を洗浄後、入浴装置３の浴槽３３で被介護者Ｎを入浴させることができるので、浴槽３３を容易に清潔に保つことができる介護用浴槽ユニット１を提供することができる。
【００４６】
また、本考案の実施形態によれば、仕切板部材２３の上端部２３ｂに緩衝材２３ａを備え、浴槽３３が降下した状態で浴槽３３の側壁部３３ａの上端部３３ｂと、洗浄用保持ネット２１と、入浴用保持ネット３１と、仕切板部材２３の上端部２３ｂとが、略同じ高さとなるように構成されている。このため、被介護者Ｎが洗浄用保持ネット２１から入浴用保持ネット３１に移動する際に、容易に移動することができ、更に、仕切板部材２３の上端部２３ｂに緩衝材２３ａを設けたので、身体への負荷を低減することができる介護用浴槽ユニット１を提供することができる。
【００４７】
また、本考案の実施形態によれば、移送装置４が洗浄装置２に隣接して配置された状態で、洗浄装置２の洗浄用保持ネット２１と、移送装置４の載置部４ｂの載置面４ｄとが略同じ高さとなるように構成されているので、介護者Ｋは被介護者Ｎを移送装置４から洗浄用保持ネット２１へ容易に移動させることができる介護用浴槽ユニット１を提供することができる。
【００４８】
また、上述したように、本考案の実施形態によれば、介護者Ｋが一人で被介護者Ｎを介護する場合であっても、体力的負荷を軽減することができる介護用浴槽ユニット１を提供することができる。
【００４９】
また、本考案の実施形態の介護用浴槽ユニット１によれば、入浴者としての被介護者Ｎが略同じ高さで移動を行うので、被介護者Ｎの不安を低減することができる。また、浴槽室３００と洗浄室２００とを同じユニット内に一体に設けることにより、保温、防水等の維持を容易にし、快適に被介護者Ｎを浴槽３３に入浴させることが可能な介護用浴槽ユニット１を提供することができる。
【００５０】
また、本考案の実施形態の介護用浴槽ユニット１は、洗浄室２００にて、入浴者としての被介護者Ｎを、移送装置４のベッドから同じ高さの位置にある洗浄用保持ネット２１に乗せ、入浴者の身体をシャワー２５で洗浄し、洗浄水を傾斜面２２ａを有する排水台２２により受け、排水管１０９を介して外部へ排水するように構成されている。このため、被介護者Ｎが尿、糞など排泄した場合であっても、それらを洗浄用保持ネット２１のネットの間から、排水台２２、排水管１０９、排水ポンプ１０８を介して短時間に廃棄することができ、洗浄装置２を容易に清潔に保持可能な介護用浴槽ユニット１を提供することができる。
【００５１】
また、本考案の実施形態の介護用浴槽ユニット１では、浴槽３３の排水口３３ｄに排水管１０９を介して排水ポンプ１０８を接続した構成を有するので、入浴中に被介護者Ｎが尿、糞など排泄した場合であっても、それらを排水管１０９、排水ポンプ１０８を介して短時間に廃棄することができ、入浴装置３を容易に清潔に保持可能な介護用浴槽ユニット１を提供することができる。
【００５２】
また、本考案の実施形態によれば、介護用浴槽ユニット１は、排水台２２の下の空間に給湯装置２４を配置し、ユニット全体が独立できるように構成されているので、簡単な構成で洗浄及び入浴を行うことが可能な介護用浴槽ユニット１を提供することができる。
【００５３】
また、本考案の実施形態によれば、入浴者である被介護者Ｎの入浴時、昇降部３４により浴槽３３を上下に移動させることで、入浴用保持ネット３１により保持された被介護者Ｎが上下に移動することなく浴槽３３にて入浴することができるので、介護者Ｋの労働を軽減することができる。また、入浴者は、入浴用保持ネット３１に保持された位置で上下移動することなく入浴することができるので、入浴時であっても安心感が得られる。
【００５４】
また、本考案の実施形態によれば、洗浄時及び入浴時、介護者Ｋが被介護者Ｎを横臥した状態で、移送装置４としてのベッドから同じ高さの洗浄用保持ネット２１、入浴用保持ネット３１上を横回転等させて移動させることで、介護者Ｋにより被介護者Ｎの身体の洗浄、入浴、水の拭き取りなどを容易に行うことができる介護用浴槽ユニット１を提供することができる。
【符号の説明】
【００５５】
１  介護用浴槽ユニット
２  洗浄装置
３  入浴装置
４  移送装置
４ａ  本体部
４ｂ  載置部
４ｃ  車輪
４ｄ  載置面
２１  洗浄用保持ネット（第１の保持ネット）
２１ａ  載置面
２２  排水台
２２ａ  傾斜面
２２ｂ  排水口
２３  仕切板部材
２３ａ  緩衝材
２３ｂ  上端部
２４  給湯装置
２５  シャワー（給湯給水部）
３１  入浴用保持ネット（第２の保持ネット）
３１ａ  載置面
３２  ネット支持部
３３  浴槽
３３ａ  側壁部
３３ｂ  上端部
３３ｃ  緩衝材
３３ｄ  排水口
３３ｆ  湯水
３４  昇降部
３５  給湯給水部
１００  浴室
１０１  柱
１０２  上部横材
１０３  下部横材
１０５  車輪（キャスタ）
１０７  操作スイッチ
１０８  排水ポンプ
１０９  排水管
２００  洗浄室
３００  浴槽室
Ｋ  介護者
Ｎ  被介護者（入浴者）
【図１】
0003173199.tif 000003
【図２】
0003173199.tif 000004
【図３】
0003173199.tif 000005
【図４】
0003173199.tif 000006
【図５】
0003173199.tif 000007
【図６】
0003173199.tif 000008
【図７】
0003173199.tif 000009
【図８】
0003173199.tif 000010
【図９】
0003173199.tif 000011
【図１０】
0003173199.tif 000012
【図１１】
0003173199.tif 000013
【図１２】
0003173199.tif 000014